(57)【要約】【課題】  既存のガードパイプへの設置が容易で、景観や視界を損なうことなしに、ガードパイプの外への幼児等の転落や乗り越えを防止することができるガードパイプ用転落防止ネットの提供。【解決手段】  支柱１１、１１間に複数本の横ビーム１２を配置したガードパイプ１に取り付けて使用されるもので、転落防止ネット２は、所定間隔で配置された縦線材２１と、該縦線材２１を接続する複数本の横線材２２で構成され、横ビーム１２に掛止め可能なフック２３を縦線材２１の上端部を曲げて形成した構成。【選択図】      図２
2014231697.tif 000002
【特許請求の範囲】
【請求項１】
支柱間に複数本の横ビームを配置したガードパイプに取り付けて使用されるもので、
前記横ビームに掛止め可能なフックを上端縁部に備えていることを特徴とするガードパイプ用転落防止ネット。
【請求項２】
請求項１に記載のガードパイプ用転落防止ネットにおいて、
前記転落防止ネットは、所定間隔で配置された縦線材と、該縦線材を接続する複数本の横線材で構成され、
前記縦線材の上端部を曲げて前記フックを構成したことを特徴とするガードパイプ用転落防止ネット。
【請求項３】
請求項２に記載のガードパイプ用転落防止ネットにおいて、
前記縦線材の相互間隔が６０ｍｍ未満であることを特徴とするガードパイプ用転落防止ネット。
【請求項４】
請求項２又は３に記載のガードパイプ用転落防止ネットにおいて、
前記フックの形状が山形であることを特徴とするガードパイプ用転落防止ネット。
【請求項５】
請求項１〜４のいずれか１項に記載のガードパイプ用転落防止ネットにおいて、
前記縦線材及び横線材が、鋼線材で構成されていることを特徴とするガードパイプ用転落防止ネット。
【発明の詳細な説明】
【技術分野】
【０００１】
本発明は、ガードパイプに取り付けることで子供の転落事故等を防止するガードパイプ用転落防止ネットに関する。
【背景技術】
【０００２】
従来、歩道際や池の周りに設置されるガードパイプとして、支柱間に複数本の横ビームを配置したガードパイプが用いられている。
【先行技術文献】
【特許文献】
【０００３】
【特許文献１】特開２００５−１７１５６０号公報
【発明の概要】
【発明が解決しようとする課題】
【０００４】
しかしながら、従来例のガードパイプにあっては、横ビームの本数が３、４本と少なく、横ビーム相互間の隙間が広いため、幼児等が横ビーム相互間の隙間から道路側に出たり、池側に出て転落する恐れがある。
また、横ビームの本数を多くしても、横ビームに足を掛けてガードパイプを乗り超える恐れもあるという問題点があった。
【０００５】
本発明の解決しようとする課題は、既存のガードパイプへの設置が容易で、景観や視界を損なうことなしに、ガードパイプの外への幼児等の転落や乗り越えを防止することができるガードパイプ用転落防止ネットを提供することにある。
【課題を解決するための手段】
【０００６】
上記課題を解決するため請求項１記載のガードパイプ用転落防止ネットは、支柱間に複数本の横ビームを配置したガードパイプに取り付けて使用されるもので、
前記横ビームに掛止め可能なフックを上端縁部に備えていることを特徴とする手段とした。
【０００７】
また、請求項２記載のガードパイプ用転落防止ネットは、請求項１に記載のガードパイプ用転落防止ネットにおいて、
前記転落防止ネットは、所定間隔で配置された縦線材と、該縦線材を接続する複数本の横線材で構成され、
前記縦線材の上端部を曲げて前記フックを構成したことを特徴とする手段とした。
【０００８】
また、請求項３記載のガードパイプ用転落防止ネットは、請求項２に記載のガードパイプ用転落防止ネットにおいて、
前記縦線材の相互間隔が６０ｍｍ未満であることを特徴とする手段とした。
【０００９】
また、請求項４記載のガードパイプ用転落防止ネットは、請求項２又は３に記載のガードパイプ用転落防止ネットにおいて、
前記フックの形状が山形であることを特徴とする手段とした。
【００１０】
また、請求項５記載のガードパイプ用転落防止ネットは、請求項１〜４のいづれか１項に記載のガードパイプ用転落防止ネットにおいて、
前記縦線材及び横線材が、鋼線材で構成されていることを特徴とする手段とした。
【発明の効果】
【００１１】
請求項１記載のガードパイプ用転落防止ネットでは、上述のように、ガードパイプの支柱間に複数本配置された横ビームに掛止め可能なフックを上端縁部に備えることで、既設のガードパイプにネットを容易に設置することができるようになる。
また、ネットであるため、景観や視界を損なうことなしに、ガードパイプの外への幼児等の転落や乗り越えを防止することができるようになるという効果が得られる。
【００１２】
請求項２記載のガードパイプ用転落防止ネットでは、上述のように、所定間隔で配置された縦線材と、該縦線材を接続する複数本の横線材で構成され、縦線材の上端部を曲げてフックを構成するという簡単な構成であるため、制作コストを低く抑えることができる。
【００１３】
請求項３記載のガードパイプ用転落防止ネットでは、上述のように、縦線材の相互間隔が６０ｍｍ未満とすることで、靴を履いて自分で歩行可能な年齢の幼児でも、横ビームに足を掛けてガードパイプを乗り超えるのを防止することができるようになる。
【００１４】
請求項４記載のガードパイプ用転落防止ネットでは、上述のように、フックの形状を山形とすることで、断面形状や太さの異なる全ての横ビームに安定よく掛け止めることができる。
【００１５】
請求項５記載のガードパイプ用転落防止ネットでは、上述のように、縦線材及び横線材を、鋼線材で構成することで、強度及び耐久性に優れる。
【図面の簡単な説明】
【００１６】
【図１】実施例１のガードパイプ用転落防止ネットの装着状態を示す正面図である。
【図２】実施例１のガードパイプ用転落防止ネットの装着状態を示す拡大側面図である。
【図３】ネット固定金具を示す斜視図である。
【図４】ネット固定金具による固定部分の詳細を示す断面図である。
【発明を実施するための形態】
【００１７】
以下にこの発明の実施例を図面に基づいて説明する。
【実施例１】
【００１８】
まず、この実施例１のガードパイプ用転落防止ネットを図面に基づいて説明する。
【００１９】
このガードパイプ用転落防止ネット２は、図１、２に示すように、支柱１１、１１間に複数本（この実施例１では４本）の横ビーム１２を配置したガードパイプ１に取り付けて使用されるもので、所定間隔で配置された縦線材２１と、該縦線材２１を接続する複数本の横線材２２で構成され、縦線材２１の上端部を山形に曲げてガードパイプ１の横ビーム１２に掛止め可能なフック２３が形成されている。
また、縦線材２１の下端部もフック２３と同一方向に曲げた形状としている。
【００２０】
さらに詳述すると、前記縦線材２１と横線材２２は、鋼線材で構成されている。
また、前記縦線材２１の相互間隔が６０ｍｍ未満に設定されている。
【００２１】
次に、この実施例１の作用を説明する。
この実施例１のガードパイプ用転落防止ネットは、上述のように構成されるため、例えば、先ず、上から２本目の横ビーム１２に、転落防止ネット２の上端に備えた複数本のフック２３を掛止めることで、ガードパイプ１に対し転落防止ネット２を容易かつ安定よく装着することができる。
【００２２】
そして、固定手段３として、例えば、図３に示す固定金具を用い、図４に示すように、フック２３をかけ止めた上から２番目の横ビーム１２と、再下端部の横ビーム１２に対し、転落防止ネット２の横線材２２を包み込んでボルト・ナット３１で締め付け固定することにより、ガードパイプ１に対する転落防止ネット２の装着固定を完了する。
なお、固定手段３としては、その他、Ｕボルトや、締結バンドなど、任意の固定手段を用いることができる。
【００２３】
次に、この実施例１の効果を説明する。
この実施例１のガードパイプ用転落防止ネットでは、上述のように、ガードパイプ１の支柱１１、１１間に複数本配置された横ビーム１２に掛止め可能なフック２３を上端縁部に備えることで、既設のガードパイプ１にネットを容易に設置することができるようになる。
【００２４】
また、ネットであるため、景観や視界を損なうことなしに、ガードパイプ１の外への幼児等の転落や乗り越えを防止することができるようになるという効果が得られる。
【００２５】
また、所定間隔で配置された縦線材２１と、該縦線材２１を接続する複数本の横線材２２で構成され、縦線材２１の上端部を曲げてフック２３を構成するという簡単な構成であるため、制作コストを低く抑えることができる。
【００２６】
また、縦線材２１の相互間隔が６０ｍｍ未満とすることで、靴を履いて自分で歩行可能な年齢の幼児でも、横ビーム１２に足を掛けてガードパイプ１を乗り超えるのを防止することができるようになる。
【００２７】
また、フック２３の形状を山形とすることで、断面形状や太さの異なる全ての横ビーム１２に安定よく掛け止めることができる。
【００２８】
また、縦線材２１及び横線材２２を、鋼線材で構成することで、強度及び耐久性に優れる。
【００２９】
以上本実施例を説明してきたが、本発明は上述の実施例に限られるものではなく、本発明の要旨を逸脱しない範囲の設計変更等があっても、本発明に含まれる。
【００３０】
例えば、実施例では、転落防止ネット２の縦線材２１と横線材２２を、鋼線材で構成したが、その材料は任意であり、ステンレス等を使用してもよい。
【００３１】
また、実施例では、フック２３の形状を山形にしたが、その形状は任意であり、半円形等としてもよい。
【００３２】
また、実施例では、縦線材２１の相互間隔が６０ｍｍ未満とする例を示したが、その間隔設定は任意である。
【符号の説明】
【００３３】
１  ガードパイプ
１１  支柱
１２  横ビーム
２  転落防止ネット
２１  縦線材
２２  横線材
２３  フック
３  固定手段（固定金具）
３１  ボルト・ナット
【図１】
2014231697.tif 000003
【図２】
2014231697.tif 000004
【図３】
2014231697.tif 000005
【図４】
2014231697.tif 000006